(57)【要約】【課題】本発明は、使用済みインクリボンの反転印字内容を判読不能な状態にして破棄することができるリボン廃棄処理装置およびリボン廃棄処理方法を提供することを課題とする。【解決手段】凍結処理部２は、使用済みインクリボン１０を浸漬させる液体窒素２２が収容された耐圧タンク２３からなり、使用済みインクリボン１０を脆化点以下に凍結させる。凍結処理部２によって使用済みインクリボン１０を破砕処理部によって加圧して破砕させる。使用済みインクリボン１０が脆化点以下に凍結されているため、使用済みインクリボン１０を加圧するだけで、使用済みインクリボン１０を反転印字内容が判読不能な状態に破砕することができる。【選択図】        図２
2007176100.tif 000002
【特許請求の範囲】
【請求項１】
反転印字内容を判読不能な状態にして使用済みインクリボンの廃棄処理するリボン廃棄処理装置であって、
前記使用済みインクリボンを脆化点以下に凍結させる凍結処理手段と、
該凍結処理手段によって凍結させた前記使用済みインクリボンを加圧して破砕させる破砕処理手段とを具備することを特徴とするリボン廃棄処理装置。
【請求項２】
前記凍結処理手段には、前記使用済みインクリボンを浸漬させる液体窒素が収容されていることを特徴とする請求項１記載のリボン廃棄処理装置。
【請求項３】
反転印字内容を判読不能な状態にして使用済みインクリボンの廃棄処理するリボン廃棄処理方法であって、
前記使用済みインクリボンを脆化点以下に凍結する工程と、
凍結させた前記使用済みインクリボンを加圧して破砕する工程とを含むことを特徴とするリボン廃棄処理方法。
【発明の詳細な説明】
【技術分野】
【０００１】
本発明は、使用済みインクリボンの廃棄処理を行うリボン廃棄処理装置およびリボン廃棄処理方法に関し、特に廃棄処理によって使用済みインクリボンに残されている情報の漏洩を防止することができるリボン廃棄処理装置およびリボン廃棄処理方法に関する。
【背景技術】
【０００２】
インクリボンのインクを印字媒体に転写して印字を行う転写式印字装置において、使用済みインクリボンには、個人情報、企業情報等が反転印字されている。使用済みインクリボンをそのまま破棄した場合には、反転印字されている個人情報、企業情報等が漏洩してしまう恐れがあるため、シュレッダー等の裁断装置を用いて使用済みインクリボンを細かく裁断して廃棄を行っている。
【０００３】
また、熱によってインクを熔解させたり、ブラシ等の擦過部材によって表面を擦過させたりすることで、使用済みインクリボンへの反転印字内容を判読不能な状態にする機構を転写式印字装置自体に設けることも提案されている（例えば、特許文献１参照）。
【０００４】
しかしながら、裁断装置を用いて使用済みインクリボンを細かく裁断する場合には、一般的なインクリボンの基材がポリエステル等のプラスチックフィルムで構成されているため、裁断装置の刃に裁断カスが付着し、シュレッダーが故障してしまう恐れがあると共に、使用済みインクリボンへの反転印字内容を判読不能な状態にする機構を転写式印字装置自体に設けた場合には、転写式印字装置が高価なものとなってしまうという問題点があった。
【０００５】
【特許文献１】特開２００４−６６６３４号公報
【発明の開示】
【発明が解決しようとする課題】
【０００６】
本発明は斯かる問題点に鑑みてなされたものであり、その目的とするところは、シュレッダー等の裁断装置を用いることなく、さらに、使用済みインクリボンへの反転印字内容を判読不能な状態にする機構を転写式印字装置自体に設けることなく、使用済みインクリボンの反転印字内容を判読不能な状態にして破棄することができるリボン廃棄処理装置およびリボン廃棄処理方法を提供する点にある。
【課題を解決するための手段】
【０００７】
本発明は上記課題を解決すべく、以下に掲げる構成とした。
請求項１記載の発明の要旨は、反転印字内容を判読不能な状態にして使用済みインクリボンの廃棄処理するリボン廃棄処理装置であって、前記使用済みインクリボンを脆化点以下に凍結させる凍結処理手段と、該凍結処理手段によって凍結させた前記使用済みインクリボンを加圧して破砕させる破砕処理手段とを具備することを特徴とするリボン廃棄処理装置に存する。
また請求項２記載の発明の要旨は、前記凍結処理手段には、前記使用済みインクリボンを浸漬させる液体窒素が収容されていることを特徴とする請求項１記載のリボン廃棄処理装置に存する。
また請求項３記載の発明の要旨は、反転印字内容を判読不能な状態にして使用済みインクリボンの廃棄処理するリボン廃棄処理方法であって、前記使用済みインクリボンを脆化点以下に凍結する工程と、凍結させた前記使用済みインクリボンを加圧して破砕する工程とを含むことを特徴とするリボン廃棄処理方法に存する。
【発明の効果】
【０００８】
本発明のリボン廃棄処理装置およびリボン廃棄処理方法は、使用済みインクリボンを脆化点以下に凍結させ、凍結させた使用済みインクリボンを加圧して破砕させるように構成することにより、使用済みインクリボンを加圧するだけで、使用済みインクリボンを反転印字内容が判読不能な状態に破砕することができるため、シュレッダー等の裁断装置を用いることなく、さらに、使用済みインクリボンへの反転印字内容を判読不能な状態にする機構を転写式印字装置自体に設けることなく、使用済みインクリボンの反転印字内容を判読不能な状態にして破棄することができるという効果を奏する。
【発明を実施するための最良の形態】
【０００９】
以下、本発明の実施の形態を図面に基づいて詳細に説明する。
【００１０】
図１は、本発明に係るリボン廃棄処理装置の実施の形態の構成を示す全体斜視図であり、図２は、図１に示す凍結処理部の構成を示す概略構成図であり、図３は、図１に示す破砕処理部の構成を示す概略構成図である。
【００１１】
本実施の形態のリボン廃棄処理装置１は、図１を参照すると、使用済みインクリボン１０の凍結処理を行う凍結処理部２と、凍結処理部２によって凍結処理が施された使用済みインクリボン１０に破砕処理を施す破砕処理部３とからなり、破砕処理が施された使用済みインクリボン１０が破砕処理部３の下部に設けられた回収容器４に回収されるようになっている。なお、図１に示す符号２１は、凍結処理部２の上部開口を覆う蓋部であり、符号３１は、破砕処理部３の上部開口を覆う蓋部である。
【００１２】
凍結処理部２は、使用済みインクリボン１０を浸漬させる液体窒素２２が収容された耐圧タンク２３からなり、使用済みインクリボン１０を脆化点以下に凍結させる。一般的にインクリボンの基材は、ポリエステル等のプラスチックフィルムで構成されており、−１００℃以下に凍結させることにより、低温脆性を示すようになる。
【００１３】
破砕処理部３は、一対の加圧ローラ３２が設けられた破砕機であり、上部開口３３から投入された使用済みインクリボン１０を加圧ローラ３２で加圧して破砕させ、破砕させた使用済みインクリボン１０は、下部開口３４から回収容器４に回収される。
【００１４】
次に、本実施の形態のリボン廃棄処理装置１を用いた使用済みインクリボン１０の破棄処理動作について詳細に説明する。
まず、網カゴ５に使用済みインクリボン１０を入れると共に、凍結処理部２の蓋部２１を開け、図２に示すように、網カゴ５に設けられた取っ手５１を把持して使用済みインクリボン１０を耐圧タンク２３に収容された液体窒素２２に浸漬させる。なお、凍結処理部２の蓋部２１を閉じた状態では、耐圧タンク２３は、密閉され、気化した窒素が大気と置換されることが抑制されるようになっている。
【００１５】
次に、使用済みインクリボン１０が脆化点以下に凍結されるまでの時間、使用済みインクリボン１０を液体窒素２２に浸漬させた状態を維持する。なお、浸漬する時間は、使用済みインクリボン１０の材質や厚さによって適宜設定される。
【００１６】
次に、脆化点以下に凍結させた使用済みインクリボン１０を液体窒素２２から取り出し、破砕処理部３の蓋部３１を開け、図３に示すように、凍結させた使用済みインクリボン１０を上部開口３３から投入する。上部開口３３から投入された使用済みインクリボン１０は、加圧ローラ３２による加圧で破砕され、破砕された使用済みインクリボン１０は、下部開口３４から回収容器４に回収される。なお、使用済みインクリボン１０は、脆化点以下に凍結され、低温脆性を示すようになっているため、加圧するだけで容易に破砕され、使用済みインクリボン１０の反転印字内容が判読不能な状態になる。
【００１７】
以上説明したように、本実施の形態によれば、凍結処理部２によって使用済みインクリボン１０を脆化点以下に凍結させ、凍結させた使用済みインクリボン１０を破砕処理部３によって加圧して破砕させるように構成することにより、使用済みインクリボン１０を加圧するだけで、使用済みインクリボン１０を反転印字内容が判読不能な状態に破砕することができるため、シュレッダー等の裁断装置を用いることなく、さらに、使用済みインクリボン１０への反転印字内容を判読不能な状態にする機構を転写式印字装置自体に設けることなく、使用済みインクリボン１０の反転印字内容を判読不能な状態にして破棄することができるという効果を奏する。
【００１８】
なお、本実施の形態の凍結処理部２では、液体窒素２２を用いた液体窒素凍結方法を採用したが、使用済みインクリボン１０を脆化点以下に凍結させることが可能な方法であれば、他の液体を用いたブライン凍結方法や送風凍結法方法等の他の凍結方法を採用しても良い。
【００１９】
また、本実施の形態の破砕処理部３では、加圧ローラ３２によって使用済みインクリボン１０を加圧して破砕させるように構成したが、使用済みインクリボン１０を加圧する手段は、加圧ローラ３２に限定されることなく、プレス板等を移動させて使用済みインクリボン１０を加圧して破砕させるようにしても良い。さらに、使用済みインクリボン１０を加圧する加圧ローラ３２やプレス板等を駆動する動力源には、特に制限がなく、例えば手動で動作するようにさせても良い。
【００２０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２１】
【図１】本発明に係るリボン廃棄処理装置の実施の形態の構成を示す全体斜視図である。
【図２】図１に示す凍結処理部の構成を示す概略構成図である。
【図３】図１に示す破砕処理部の構成を示す概略構成図である。
【符号の説明】
【００２２】
１  廃棄処理装置
２  凍結処理部
３  破砕処理部
４  回収容器
５  網カゴ
１０  使用済みインクリボン
２１  蓋部
２２  液体窒素
２３  耐圧タンク
３１  蓋部
３２  加圧ローラ
３３  上部開口
３４  下部開口
５１  取っ手
【図１】
2007176100.tif 000003
【図２】
2007176100.tif 000004
【図３】
2007176100.tif 000005